(57)【要約】【課題】通信ネットワークを通じて録画番組を配信する際に、ユーザに対して個別対応可能な広告情報を選択的に自動配信する広告付き番組配信サーバを提供する。【解決手段】通信ネットワークを介して接続されるコンピュータ端末８から登録者識別情報を受信する受信手段と、受信した登録者識別情報に基いて認証処理し、コンピュータ端末８に対して１又は複数の地域サーバ番組表を表示するように制御する番組表示手段と、コンピュータ端末８に表示させた地域サーバ番組表内の番組を指定するように促す番組指定手段と、コンピュータ端末８において指定された番組に対して、地域名及び商品情報を有する広告情報を登録する広告登録手段と、指定された番組に関連付けて広告情報を記憶する記憶手段と、を備える。【選択図】  図１
2004227108.tif 000002
【特許請求の範囲】
【請求項１】
通信ネットワークを介して接続されるコンピュータ端末から登録者認証情報を受信する受信手段と；
前記受信した登録者認証情報に基いて認証処理し、前記コンピュータ端末に対して１又は複数の地域サーバ番組表を表示するように制御する番組表示手段と；前記コンピュータ端末に表示させた地域サーバ番組表内の番組を指定するように促す番組指定手段と；
前記コンピュータ端末において指定された前記番組に対して、地域名及び商品情報を有する広告情報を登録する広告登録手段と；
前記指定された番組に関連付けて前記広告情報を記憶する記憶手段と；を備える広告付き番組配信サーバ。
【請求項２】
通信ネットワークを介して接続されるユーザ端末からユーザ認証情報及びアクセス情報を受信する受信手段と；
前記受信したユーザ認証情報に基いて認証処理し、前記ユーザ端末に対して前記通信ネットワークを介してユーザが指定する地域サーバから録画番組を配信するように指令する録画番組配信指令手段と；
前記受信したアクセス情報及びユーザ認証情報に対応する属性情報に基づき、前記録画番組が配信されるユーザ端末に対して前記通信ネットワークを介して、選択された１又は複数の広告情報を表示させるように制御する広告情報配信手段と；を備える広告付き番組配信サーバ。
【請求項３】
通信ネットワークを介して接続されるユーザ端末からユーザ認証情報を受信する受信手段と；
前記受信したユーザ認証情報に基いて認証処理し、前記ユーザ端末に対して前記通信ネットワークを介してユーザが指定する地域サーバから録画番組を配信するように指令する録画番組配信指令手段と；
前記ユーザが指定する地域サーバの地域情報に基づき、言語又は地域を特定する広告情報を選択し、前記録画番組が配信されるユーザ端末に対して前記通信ネットワークを介して、選択された１又は複数の前記広告情報を表示させるように制御する広告情報配信手段と；を備える広告付き番組配信サーバ。
【請求項４】
通信ネットワークを介して接続されるユーザ端末からユーザ認証情報を受信する受信手段と；
前記受信したユーザ認証情報に基いて認証処理し、前記ユーザ端末に対して前記通信ネットワークを介してユーザが指定する地域サーバから録画番組を配信するように指令する録画番組配信指令手段と；
前記配信する録画番組の番組情報に基づき、言語又は地域を特定する広告情報を選択し、前記録画番組が配信されるユーザ端末に対して前記通信ネットワークを介して、選択された１又は複数の前記広告情報を表示させるように制御する広告情報配信手段と；を備える広告付き番組配信サーバ。
【請求項５】
通信ネットワークを介して特定サーバに接続されるコンピュータ端末を機能させる方法であって、登録者の認証情報を、通信ネットワークを介して特定サーバに送信させ、前記認証情報の認証結果に応じて前記特定サーバから通信ネットワークを介して供給される録画番組表を表示させ、表示させた録画番組表内において端末操作者に番組指定を促し、番組指定がなされると前記端末操作者に当該番組指定された録画番組に関連する広告情報の入力を促し、広告情報が入力されると前記録画番組を示す情報と当該広告情報とを前記特定サーバに対して通信ネットワークを介して送信するように機能させるネットワーク広告登録方法。
【発明の詳細な説明】
【０００１】
【発明の属する技術分野】
本発明は広告付き番組配信サーバ及びネットワーク広告登録方法に係り、特に、複数の地域又は領域で放映されるテレビ放送番組やラジオ放送番組を蓄積し、蓄積した録画番組にアクセスする視聴者の国籍や使用言語に個別対応する広告情報を通信ネットワークを介して配信する広告付き番組配信サーバ及びネットワーク広告登録方法に関するものである。
【０００２】
【従来の技術】
一般に、ブロードバンドの通信回線に接続されたホームサーバを使用し、電子番組案内（ＥＰＧ）や予約画面上からテレビ番組を録画予約し、ハードディスクレコーダで再生視聴する録画予約装置が知られている。この録画予約装置は、ホームサーバ、外出先のパ−ソナルコンピュータ、携帯電話から番組の予約を受け付ける。また、録画中も過去に録画した番組を同時に再生視聴することができ、録画中の番組でも巻き戻し、早送り、再生ができるネットワーク番組録画システムである。
【０００３】
さらに、従来の録画予約装置は、ホームサーバの設置地域で視聴可能な番組を録画するように構成されている（例えば、非特許文献１参照。）。
【０００４】
【非特許文献１】
日経産業新聞、２００２年（平成１４年）１０月２５日掲載「テレビ番組録画予約」
【０００５】
【発明が解決しようとする課題】
しかしながら、前述の如く、従来のネットワーク番組録画システムは、録画できる番組がホームサーバの設置地域で視聴可能なものに制限され、多様化したユーザの要望に必ずしも適合することができないという課題が存在していた。
【０００６】
また、国別又は地域別に蓄積した録画番組を配信する際に、広告情報を並行してコンピュータネットワークを介してユーザ端末へ配信するが、この広告情報はアクセスしている視聴者の使用言語や指定した録画番組にマッチングする確率が低い場合があり、広告効果を向上させるのには一定の限界が生じていた。
【０００７】
本発明は、斯かる実情に鑑み、通信ネットワークを通じて録画番組を配信する際に、ユーザに対して個別対応可能な広告情報を選択的に自動配信する広告付き番組配信サーバ及びネットワーク広告登録方法を提供しようとするものである。
【０００８】
【課題を解決するための手段】
上記目的を達成するために、請求項１に係る発明による広告付き番組配信サーバ１は、例えば、図１に示すように、通信ネットワークを介して接続されるコンピュータ端末８から登録者認証情報を受信する受信手段と、受信した登録者認証情報に基いて認証処理し、コンピュータ端末８に対して１又は複数の地域サーバ番組表を表示するように制御する番組表示手段と、コンピュータ端末８に表示させた地域サーバ番組表内の番組を指定するように促す番組指定手段と、コンピュータ端末８において指定された番組に対して、地域名及び商品情報を有する広告情報を登録する広告登録手段と、指定された番組に関連付けて広告情報を記憶する記憶手段と、を備える。
【０００９】
ここで、請求項１に記載の受信手段、番組表示手段、番組指定手段、広告登録手段、及び記憶手段は、例えば、広告付き番組配信サーバ１をコンピュータシステムで構成し、内部に配置された通信ボード、メインメモリ、ハードディスク、中央処理装置（ＣＰＵ）ボードをコンピュータソフトウエアプログラムにより制御して各手段として機能させることができる。また、登録者認証情報は、登録者（広告主又は企業体）のＩＤとパスワードの組合せや、コンピュータ端末８内に記憶されたクッキー情報や、コンピュータ端末８のオペレーテイングシステムのシリアル番号や、コンピュータ端末８により識別する登録者の指紋若しくは眼球虹彩並びに人相などの個体識別情報などを用いることができる。
【００１０】
このように構成すると、コンピュータ端末８において指定された番組に対して、地域名及び商品情報を有する広告情報を登録する広告登録手段と、指定された番組に関連付けて広告情報を記憶する記憶手段とを備えるので、登録者は指定された番組に関連付けた広告情報を広告付き番組配信サーバ１内部に記憶させることができる。
【００１１】
上記目的を達成するために、請求項２に係る発明による広告付き番組配信サーバ１は、例えば、図１に示すように、通信ネットワーク１４を介して接続されるユーザ端末１０からユーザ認証情報並びにアクセス情報を受信する受信手段と、受信したユーザ認証情報に基いて認証処理し、ユーザ端末に対して通信ネットワークを介してユーザが指定する地域サーバ３、４、５、６から録画番組を配信するように指令する録画番組配信指令手段と、受信したアクセス情報及び認証情報に対応する属性情報に基づき、録画番組が配信されるユーザ端末１０に対して通信ネットワーク１４を介して、選択された１又は複数の広告情報を表示させるように制御する広告情報配信手段と、を備える。
【００１２】
ここで、請求項２に記載の受信手段、録画番組配信指令手段、、及び広告情報配信手段は、例えば、広告付き番組配信サーバ１をコンピュータシステムで構成し、内部に配置された通信ボード、メインメモリ、ハードディスク、中央処理装置（ＣＰＵ）ボードをコンピュータソフトウエアプログラムにより制御して各手段として機能させることができる。また、アクセス情報は通信ネットワーク１４上に送出されるユーザ端末１０のＩＰアドレスを含むデジタル情報を用いることができる。
【００１３】
このように構成すると、広告情報配信手段を備えるので、受信したアクセス情報及びユーザ認証情報に対応する属性情報に基づき、録画番組が配信されるユーザ端末１０に対して通信ネットワーク１４を介して、選択された１又は複数の広告情報を表示させることができる。
【００１４】
上記目的を達成するために、請求項３に係る発明による広告付き番組配信サーバ１は、例えば、図１に示すように、通信ネットワーク１４を介して接続されるユーザ端末１０からユーザ認証情報を受信する受信手段と、受信したユーザ認証情報に基いて認証処理し、ユーザ端末１０に対して通信ネットワーク１４を介してユーザが指定する地域サーバ３、４、５、６から録画番組を配信するように指令する録画番組配信指令手段と、ユーザが指定する地域サーバの地域情報に基づき、言語又は地域を特定する広告情報を選択し、録画番組が配信されるユーザ端末１０に対して通信ネットワーク１４を介して、選択された１又は複数の広告情報を表示させるように制御する広告情報配信手段と、を備える。
【００１５】
ここで、請求項３に記載の地域サーバの地域情報は、例えば、国名称や主要都市名称や日本国内４７都道府県などの番組放送地域を識別する情報を用いることができる。
【００１６】
このように構成すると、広告情報配信手段を備えるので、ユーザが指定する地域サーバの地域情報に基づき、言語又は地域を特定する広告情報を選択し、録画番組が配信されるユーザ端末１０に対して通信ネットワーク１４を介して、選択された１又は複数の広告情報を表示させることができる。
【００１７】
上記目的を達成するために、請求項４に係る発明による広告付き番組配信サーバ１は、例えば、図１に示すように、通信ネットワーク１４を介して接続されるユーザ端末１０からユーザ認証情報を受信する受信手段と、受信したユーザ認証情報に基いて認証処理し、ユーザ端末１０に対して通信ネットワーク１４を介してユーザが指定する地域サーバ３、４、５、６から録画番組を配信するように指令する録画番組配信指令手段と、配信する録画番組の番組情報に基づき、言語又は地域を特定する広告情報を選択し、録画番組が配信されるユーザ端末１０に対して通信ネットワーク１４を介して、選択された１又は複数の広告情報を表示させるように制御する広告情報配信手段と、を備える。
【００１８】
ここで、請求項４に記載の録画番組の番組情報は、番組製作国や、放映言語や、番組に登場する人物、装飾、景色、ＢＧＭ楽曲などの視聴可能な情報を用いることができる。
【００１９】
このように構成すると、広告情報配信手段を備えるので、配信する録画番組の番組情報に基づき、言語又は地域を特定する広告情報を選択し、録画番組が配信されるユーザ端末１０に対して通信ネットワーク１４を介して、選択された１又は複数の広告情報を表示させることができる。
【００２０】
上記目的を達成するために、請求項５に係る発明によるネットワーク広告登録方法は、例えば、図１に示すように、通信ネットワークを介して特定サーバ２に接続されるコンピュータ端末８を機能させる方法であって、登録者認証情報を、通信ネットワークを介して特定サーバ２に送信させ、登録者認証情報の認証結果に応じて特定サーバ２から通信ネットワークを介して供給される録画番組表を表示させ、表示させた録画番組表内において端末操作者に番組指定を促し、番組指定がなされると端末操作者に当該番組指定された録画番組に関連する広告情報７の入力を促し、広告情報７が入力されると録画番組を示す情報と当該広告情報とを特定サーバ２に対して通信ネットワークを介して送信するように機能させるように構成する。
【００２１】
このように構成すると、コンピュータ端末８から広告情報７が入力されると録画番組を示す情報と当該広告情報とを特定サーバ２に対して通信ネットワークを介して送信するように機能させることができる。
【００２２】
【発明の実施の形態】
以下、本発明の実施の形態について、図面を参照して説明する。なお、各図において互いに同一あるいは相当する部材には同一符号または類似符号を付し、重複した説明は省略する。
【００２３】
図１は、本発明の実施の形態である番組配信システムのブロック図である。番組配信システムは、広告付き番組を配信する番組提供サーバ群１と、番組提供サーバ群１へ通信ネットワークとしてのインターネット１４を介してアクセスし番組を受信（ダウンロード）するユーザが操作するユーザ端末１０と、番組提供サーバ群１へインターネット１４を介してアクセスし広告情報の登録をする登録者（広告主又は企業体）が操作するコンピュータ端末８と、を備える。
【００２４】
上記ユーザ端末１０は、１又は複数のコンピュータ端末でもよく。テレビとリモコン装置で構成するユーザ端末Ａ１０ａや、携帯情報端末ＰＤＡのようなユーザ端末Ｂ１０ｂや、インターネツト１４に接続する携帯電話機のようなユーザ端末Ｃ１０ｃや、パーソナルコンピュータのようなユーザ端末Ｄ１０ｄでもよい。
要は、番組提供サーバ群１にインターネツト１４を介してインタラクティブにアクセスし番組と広告情報とをダウンロードすることができるアクセス手段であればどのような形態の端末でも利用することができる。
【００２５】
番組提供サーバ群１は、広告付き番組配信サーバとしての本部サーバ２と、番組の放映地域別に設置された複数の地域サーバを備える。この地域サーバを例示すると、第１地域サーバ（山梨）３、第２地域サーバ（九州）４、第３地域サーバ（ロンドン）５、及び第４地域サーバ（ブラジル）６を各々の地域に設置し、専用回線又はインターネット１４を介して本部サーバ２と相互に接続されている。
【００２６】
本部サーバ２は、インターネット１４を介して接続されるコンピュータ端末８から登録者認証情報としての登録者ＩＤ及びパスワードを受信する受信手段と、受信した登録者ＩＤ及びパスワードに基いて認証処理し、コンピュータ端末８に対して、第１地域サーバ（山梨）３、第２地域サーバ（九州）４、第３地域サーバ（ロンドン）５、及び第４地域サーバ（ブラジル）６の中から任意に選択される１又は複数の地域サーバから提供される録画番組の地域サーバ番組表を表示するように制御する番組表示手段と、コンピュータ端末８に表示させた地域サーバ番組表内の番組を指定するように促す番組指定手段と、コンピュータ端末８において指定された番組に対して、国名又は地域名（山梨、神奈川、九州、四国、ロンドン、シドニーなどの地域名を含む）及び商品情報を有する広告情報７を登録する広告登録手段と、指定された番組に関連付けて広告情報を記憶する記憶手段と、を備える。また、登録者認証情報は、登録者（広告主又は企業体）のＩＤとパスワードの組合せや、コンピュータ端末８内に記憶されたクッキー情報や、コンピュータ端末８のオペレーテイングシステムのシリアル番号や、コンピュータ端末８により識別する端末操作者の指紋若しくは眼球虹彩並びに人相などの個体識別情報などを用いることができる。さらに、ユーザ識別情報もユーザＩＤとパスワードの組合せや、ユーザ端末１０内に記憶されたクッキー情報や、ユーザ端末１０のオペレーテイングシステムのシリアル番号や、ユーザ端末１０により識別する端末操作者の指紋若しくは眼球虹彩並びに人相などの個体識別情報などを用いることができる。
【００２７】
図１のブロック図を参照して、本実施の形態の広告付き番組配信サーバとしての本部サーバ２の動作を説明する。本部サーバ２の受信手段は、通信ネットワーク１４を介して接続されるユーザ端末１０からユーザ認証情報としてのユーザＩＤ及びパスワード並びにアクセス情報を受信する。このユーザＩＤとパスワードは、本部サーバ２のウエブページをアクセスするための認証情報であり、広告付き番組配信サービスの提供を受けるユーザが予め本部サーバに属性情報として登録しているデータであり、上述した如くユーザＩＤとパスワードの組合せや、ユーザ端末１０内に記憶されたクッキー情報や、ユーザ端末１０のオペレーテイングシステムのシリアル番号や、ユーザ端末１０により識別する端末操作者の指紋若しくは眼球虹彩並びに人相などの個体識別情報などを用いることができる。また、アクセス情報には本部サーバ２にアクセスしているユーザ端末１０が使用しているＩＰアドレスを用いるとよい。
【００２８】
本部サーバ２の録画番組配信指令手段は、受信したユーザＩＤ及びパスワードに基いて認証処理し、ユーザ端末１０に対してインターネット１４を介してユーザが指定する地域サーバ３、４、５、６から録画番組を配信するように指定された地域サーバへ指令する。例えば、ユーザ端末１０に送信するウエブ情報に地域サーバを指定するＵＲＬのタグ情報を挿入し、ユーザ端末１０上に表示されたウエブ画面の特定フレーム中に録画番組を再生するようにストリーミング配信するとよい。
【００２９】
本部サーバ２の広告情報配信手段は、受信したアクセス情報及びユーザＩＤに対応する属性情報に基づき、録画番組が配信されるユーザ端末１０に対してインターネット１４を介して、選択された１又は複数の広告情報を表示させるように制御する。
【００３０】
すなわち、広告情報配信手段は、本部サーバ２にアクセスしているユーザ端末１０のＩＰアドレスと国籍、地域（都道府県や市外局番）、回線種別（ダイアルアップやＡＤＳＬやＣＡＴＶ）、インターネツトサービスプロバイダＩＳＰなどを関連づけたＩＰアドレスデータベース及びユーザＩＤに対応する属性情報を用いて、ユーザのターゲティングを行うウエブ広告配信技術を提供することができる。
【００３１】
例えば、ユーザがユーザＩＤに対応付けて国籍、居住地などの地域や言語情報を予め本部サーバ２に登録している場合は、広告情報配信手段が自動的にユーザの国籍や居住地に適合する言語と地域の広告情報を選択し、録画番組と共に広告情報をユーザ端末１０へ配信するように制御する。一方、ユーザＩＤに対応付けて国籍や居住地などが登録されていない場合は、本部サーバ２がインターネツト１４を介してユーザ端末１０のＩＰアドレスを取得しユーザ端末１０を操作しているユーザの国籍や居住地などを自動的に推定することができる。
【００３２】
現在、３２ビットのＩＰアドレスは、国（地域）ごとに使用する範囲が規定されているため、例えば、日本の企業（ＩＳＰを含む）や学校が使用する先頭アドレスは「２０２」と「２０３」から始まり、容易にＩＰアドレスからユーザの国籍を推定することができる。他の国（地域）も各国のネットワークインフォメーションセンタ（ＮＩＣ）により先頭アドレスが割り振られているのでＩＰアドレスデータベースを本部サーバ２に構築し、アクセス中のユーザの国籍や居住地を高い確率で推定することができる。
【００３３】
ここで、日本ネットワークインフォメーションセンタＪＰＮＩＣのサーバから返信されるレジスタント情報を用いた場合、例えば、ユーザ端末１０から送信されるＩＰアドレスに基づく、Ｎ社、ＸＸ、Ｍｉｎａｔｏ−ｋｕ、Ｔｏｋｙｏ、Ｊａｐａｎ、ドメインネーム：ＸＸ．ＣＯＭ等の属性情報がインターネット１４を経由して取得することができ、この属性情報に住所が含まれない場合は、本部サーバ２のデータベースに記憶した電話番号リストから法人名を頼りに住所を特定することもできる。
【００３４】
上記実施の形態では、ユーザの属性情報とＩＰアドレスに基いて配信する広告情報を選択したが、別の実施の形態では地域サーバの地域情報に基づきユーザの国籍や使用言語を推定して広告情報を選択し配信することができる。
【００３５】
すなわち、本部サーバ２は、インターネツト１４を介して接続されるユーザ端末１０からユーザＩＤ及びパスワードを受信する受信手段と、受信したユーザＩＤ及びパスワードに基いて認証処理し、ユーザ端末１０に対してインターネツト１４を介してユーザが指定する地域サーバ３、４、５、６から録画番組を配信するように指令する録画番組配信指令手段と、ユーザが指定する地域サーバの地域情報に基づき、言語又は地域を特定する広告情報を選択し、録画番組が配信されるユーザ端末１０に対して通信ネットワーク１４を介して、選択された１又は複数の広告情報を表示させるように制御する広告情報配信手段と、を備える。
【００３６】
ユーザがインターネツト１４を介して第１地域サーバ（山梨）３を選択した場合は第１地域サーバ３の属性情報により指定する日本語で山梨地域の商品情報を広告情報としてユーザ端末１０へ配信し、ユーザが第２地域サーバ（九州）４を選択した場合は第２地域サーバ４の属性情報により指定された日本語で九州地域の商品情報を広告情報としてユーザ端末１０へ配信し、ユーザが第３地域サーバ（ロンドン）５を選択した場合は第３地域サーバ５の属性情報により指定する英語で英国地域の商品情報を広告情報としてユーザ端末１０へ配信し、ユーザが第４地域サーバ（ブラジル）６を選択した場合は第４地域サーバ６の属性情報により指定するスペイン語で南米地域の商品情報を広告情報としてユーザ端末１０へ配信するように各々広告情報を自動配信することができる。
【００３７】
また、別の実施の形態では、本部サーバ２は、インターネツト１４を介して接続されるユーザ端末１０からユーザＩＤ及びパスワードを受信する受信手段と、受信したユーザＩＤ及びパスワードに基いて認証処理し、ユーザ端末１０に対してインターネット１４を介してユーザが指定する地域サーバ３、４、５、６から録画番組を配信するように指令する録画番組配信指令手段と、配信する録画番組の番組情報に基づき、言語又は地域を特定する広告情報を選択し、録画番組が配信されるユーザ端末１０に対して通信ネットワーク１４を介して、選択された１又は複数の広告情報を表示させるように制御する広告情報配信手段と、を備え、録画番組の番組情報に基いて広告情報の言語及び地域特性を選択することができる。
【００３８】
ここで、録画番組の番組情報は、録画した映像や放送番組の著作属性の国名や、地域名や、番組製作国や、放映言語や、番組に登場する人物（役者）、装飾、景色、ＢＧＭ楽曲などの視聴可能なオーサリング情報で構成し、広告情報の言語や地域を選択するために用いることができる。
【００３９】
さらに、別の実施の形態では、本部サーバ２は外部の広告主としての登録者側のコンピュータ端末８からリアルタイムにインターネット１４を介して広告情報を登録処理し、インターネット１４を介して番組と広告情報とをユーザ端末１０へ配信することもできる。
【００４０】
例えば、コンピュータ端末８から登録者ＩＤを、インターネツト１４を介して特定サーバとしての本部サーバ２に送信させ、登録者ＩＤの認証結果に応じて本部サーバ２からインターネット１４を介して供給される録画番組表を表示させ、表示させた録画番組表内において端末操作者（広告主）に番組指定を促し、番組指定がなされると端末操作者に当該番組指定された録画番組に関連する広告情報７の入力を促し、広告情報７が入力されると録画番組を示す情報と当該広告情報とを本部サーバ２に対してインターネット１４を介して送信するように機能させるように構成することもできる。
【００４１】
またさらに、他の実施の形態によれば、本部サーバ２は、放送番組の録画再生時にネットワーク広告を融合させたネット通販サービスを提供することができ、最適な広告情報をユーザに個別に対応させてユーザ端末１０上に表示させることができる。
【００４２】
例えば、イギリス人が我が国（日本国）に長期に亘り居住しネット通販サービスを利用したときや、ブラジル国内の日系人に対してイギリスや日本国内の商品に限定した広告情報を番組情報と共に配信することができる。
【００４３】
本部サーバ２は、ユーザが録画番組を視聴しているときに最適な広告情報をユーザ端末１０上に表示させるように制御する。ユーザ端末１０上に表示された放送番組メニュー画面の中からユーザが選択した地域サーバの地域情報に基き、国又は地域情報を自動取得し広告情報の国又は地域を決定する。例えば、ユーザが選択した地域サーバの設置国（地域）や地域サーバから提供される番組の提供国（地域）などから広告情報の言語と地域を選別する。
【００４４】
上述したイギリス人が広告付き番組配信サービスに母国（イギリス国）からインターネツト１４を介して会員登録をした場合は、本部サーバ２に登録した時点のユーザ端末１０のＩＰアドレス（イギリス用）が自動的に本部サーバ２にユーザの属性情報として登録され、その後、日本国に長期滞在中にインターネット１４を介して本部サーバ２へアクセスしたときは、ユーザの属性情報に含まれる登録時のＩＰアドレス（イギリス用）を参照しイギリス人ユーザに対して英語の広告情報を配信することができる。
【００４５】
また、上記ブラジル国内の日系人に対しては、ユーザ端末１０上に表示された放送番組メニュー画面の中からブラジル日系人ユーザが選択した日本の地域サーバの地域情報に基き、日本国又はその地域情報を自動取得し、日本語で提供する日本商品の広告情報を選択し番組情報と共に広告情報をインターネット１４を介してブラジル日系人ユーザへ提供することもできる。
【００４６】
本部サーバ２に広告主として登録した登録者は、本部サーバ２から登録者ＩＤ及びパスワードを付与され、インターネット１４を介してコンピュータ端末８から本部サーバ２へアクセスし広告情報を登録することができる。
【００４７】
本部サーバ２は、アクセスしている登録者に対して各地域サーバに録画予定又は録画済みの録画番組表をインターネツト１４を介して送信しコンピュータ端末８上に表示させることができる。登録者は、コンピュータ端末８上の録画番組表の表示内容を確認して録画番組の放送著作属性の国名や地域名を識別し、録画番組が再生された際にターゲットユーザに適合する広告情報をユーザ端末１０上に表示させるようにコンピュータ端末８から本部サーバ２に登録することができる。本部サーバ２は、登録依頼を受信し本部サーバ２内部に録画番組と関連付けて記憶する。
【００４８】
また、登録者は録画番組に登場する役者が身に付けている被服（洋服や和服など）、撮影に使用されたスタジオ（部屋）に飾られている品物に関連する商品情報を選択して本部サーバ２に録画番組と関連付けて登録することもできる。
【００４９】
同様に、登録者は録画番組が音楽関連番組や演奏（ＢＧＭ）に使用されている音楽に関連した商品の広告情報も本部サーバ２に登録することもでき、映画の録画番組に対応する原作著書の商品情報を広告情報として本部サーバ２に登録することもできる。
【００５０】
同様に、登録者が地域サーバに録画記憶されている番組のスポンサーである場合に、録画番組の中で放映されている広告（録画広告）に合致する広告情報をユーザ端末１０へ配信させるように本部サーバ２に広告情報を登録し、ユーザが録画広告を視聴している時間帯にネット通販が可能な商品情報を本部サーバ２からユーザ端末１０へ配信させることもできる。例えば、録画広告を家電製品としたときは、本部サーバ２に登録した家電製品の広告情報をユーザ端末１０へ配信し、ユーザ端末１０上に表示されている録画番組の近傍に位置する広告情報をポインタで選択操作し、ネット通販の注文処理を実行することができる。
【００５１】
図中の右側に示した注文行為ボックス８４は、ネット通販のフローを例示すものである。ユーザは、ユーザ端末１０のディスプレイ上の所定位置に配置した言語選択ボタンの中から日本語ボタン８５又は英語ボタン８６を選択操作する。例えば、マウスのようなポインティングデバイスのクリック操作やカーソルボタン操作により広告情報の言語を選択することができる。勿論、上述した言語自動選択処理によりユーザ端末１０が使用しているＩＰアドレスに基き地域情報を抽出してから言語を自動選択することもできる。この場合、端末側国言語ボックス８７に端末側国言語を表示する。また、手動言語選択も自動言語選択も共に、ユーザ端末１０と本部サーバ２とのインターラクティブなインターネット通信により選択された言語の広告情報が本部サーバ２からユーザ端末１０へ送信される。
【００５２】
引き続き、手動選択又は自動選択した言語の広告情報がユーザ端末１０のディスプレイ上にＧＵＩ形式で表示され「バーナ広告」の表面に商品名などの商品情報が記述されている。また、例えばＧＵＩ形式のバーナ広告をＧＩＦ画像で表示させることができる。ステップ８８でユーザは好みの「バーナ広告」にポインターを移動させてクリック操作８８し、クリックしたバーナ情報を登録者のサーバへ送信すると共に本部サーバ２へ広告情報のリンク切断コードを送信する。このリンク切断コードにより本部サーバ２はユーザ端末１０のディスプレイ上に位置する広告情報の表示領域に新たな広告情報の更新を中止することができる。また、クリックされたバーナ情報を取得した登録者のサーバは、自動的に対応する商品概要をユーザ端末１０のディスプレイ上の広告表示領域に表示させるように制御する（ステップ８９）。
【００５３】
ユーザは、広告情報の表示領域に表示された商品概要（商品スペック、価格、納期）を目視で確認し、ディスプレイ上の注文ボタン（不図示）をクリック操作し注文コードを登録者のサーバへ送信し注文行為ステップ９０を処理する。
【００５４】
登録者のサーバは、ユーザ端末１０から送信された注文コードの受信に応答して注文内容表示及び確認処理を遂行する。すなわち、注文された商品の在庫、納期、価格の確認を自動的に処理し、ユーザが希望する商品が提供可能な場合にインターネツト１４を介してユーザ端末１０へ注文内容表示及び確認情報を送信し、ユーザ端末１０のディスプレイ上の広告表示領域に注文内容表示及び確認情報を表示させるように制御する。
【００５５】
一方、商品が提供できないときは、登録者のサーバから「売り切れ」などの回答情報をユーザ端末１０へ送信すると共に、本部サーバ２へ広告情報の更新再開リクエストコードを送信し、登録された広告情報を本部サーバ２からユーザ端末１０へ送信させることができる。
【００５６】
ユーザは、ユーザ端末１０のディスプレイ上の広告表示領域に表示された注文内容表示及び確認情報を目視で確認し、広告表示領域内の確認ボタンを選択操作する（ステップ９１）。この処理により、ユーザー端末１０から登録者のサーバへ商品の注文確認コードがインターネット１４を介して送信され、注文完了ステップ９２の処理が終了する。
【００５７】
各地域サーバには、多数のカテゴリに属する番組が予約録画されている。例えば、料理番組やドラマ番組に登場するレストラン、宿、ホテルなどの録画番組内容に連動するように広告情報を登録者がインターネット１４を介して本部サーバ２へ登録し、上述したネット通販をバーナ広告方式で実施することもできる。このネット通販は、料理のケータリングや宿、ホテルの予約注文を取り扱うことができる。
【００５８】
また、本部サーバ２は、アクセス中のユーザ端末１０のＩＰアドレスを取得しユーザ端末１０の地域情報を抽出することにより、ユーザ端末１０の地域をカバーするケータリング料理店のバーナ広告をインターネツト１４を介して広告情報としてユーザ端末１０に送信することもできる。特に、深夜の時間帯にアクセス中のユーザに対しては効果的な広告情報を配信することができる。また、ＩＰアドレスの他に本部サーバ２に登録しているユーザの属性情報からユーザの居住地を特定して、同様なケータリングサービスの広告情報を配信することもできる。
要は、本部サーバ２にアクセス中のユーザ居所を自動的に推定することにより、的確な言語と地域の広告情報を個別配信する地域情報をなんでも使用することができる。
【００５９】
さらに、ユーザが視聴している録画番組が連続ドラマのような一連のストリー性を有する番組の場合は、広告情報として前回までのドラマのあらすじを広告表示領域内で文字情報として視聴させる広告情報を流し、ユーザの興味を刺激し、そのあらすじ情報の提供者として広告主を表示してもよく。広告主の商品情報を表示してもよい。
【００６０】
図２は、本発明の実施の形態に用いるネットワーク番組録画予約システムの模式的なブロック図である。ネットワーク番組録画予約システムは、ネットワーク回線としてのインターネット１４に光ファイバや高速通信回線４８を通じて接続されたサーバ１６と、インターネット１４に接続する第１の番組記録サーバ２４と、インターネット１４に接続する第２の番組記録サーバ２６と、を備える。
【００６１】
上記サーバ１６は、ユーザ属性情報及びユーザ情報を記憶するユーザ属性情報記憶領域１７と、国内のテレビ放送番組予約メニュー情報を記憶する国内番組予約サーバ１８と、海外のテレビ放送番組予約メニュー情報を記憶する海外番組予約サーバ１９と、複数のユーザが同一の放送番組を予約した場合に発生する共通放送番組を記憶し複数のユーザへ共通放送番組を配信する番組配信サーバ２０と、広告主の広告宣伝情報を蓄積しユーザへ配信する広告配信サーバ２１と、録画予約した放送番組の蓄積期限を管理し蓄積期限が超過した放送番組を削除する放送番組削除手段としての蓄積期限管理サーバ２２とを備える。
【００６２】
上記インターネット１４は、インターネットサービスプロバイダＩＳＰの通信回線４４を介して複数のユーザ端末に接続されている。例えば、ＡＤＳＬ回線により常時接続するパーソナルコンピュータ１０、ＣＡＴＶ回線を経由して常時接続するテレビジョンとリモコン装置で構成するユーザ端末１０ａ、無線ＬＡＮやＰＨＳ回線網を経由して接続する携帯端末ＰＤＡ１０ｂ、移動体電話網を経由して接続するインターネット対応の携帯電話機１０ｃ、ダイヤルアップにより電話回線を経由して接続する他のパーソナルコンピュータ１０ｄ、ＡＤＳＬ回線又はＩＳＤＮ回線を経由して常時接続するインターネット冷蔵庫のような家電製品１０ｅ等がユーザ端末（以下、特に明記しない場合はこれらを総称して「ユーザ端末」と称する）として機能し、各々ＩＰアドレスをインターネット１４を介してサーバ１６へ送信している。
【００６３】
また、インターネット１４は、広告主の広告宣伝依頼の受注受付を行う広告代理店サーバ２８と、各企業の商品受注を処理する企業商品サーバ３０と、通信キャリア企業が管理するゲートウエイ３２と接続する。このゲートウエイ３２は無線通信基地局３４を経由して携帯電話機３６からのアクセスを処理する。
【００６４】
上記第１の番組記録サーバ２４は、有線又は無線の通信手段４６を用いて国内の第１のテレビ局３７、第２のテレビ局３８、第３のラジオ局３９、第４の有線放送局４０から受信する放送番組を随時蓄積する。例えば、北海道、青森、岩手、宮城、秋田、山形、福島、関東エリア（東京、神奈川、埼玉、、千葉、茨城、栃木、群馬）、山梨、新潟、長野、富山、石川、福井、愛知、岐阜、静岡、三重、近畿エリア（大阪、兵庫、京都、滋賀、奈良）、和歌山、鳥取、島根、岡山、広島、山口、徳島、香川、愛媛、高知、福岡、佐賀、長崎、熊本、大分、宮崎、鹿児島、沖縄等の各県及びエリア毎に放送されるテレビ番組やラジオ番組を各々の地域に設置された番組記録サーバに蓄積するように構成する。
【００６５】
上記第２の番組記録サーバ２６は、有線又は無線の通信手段４６を用いて海外のＮ１テレビ局４１、Ｎ２テレビ局４２から受信する放送番組を随時蓄積する。
例えば、アジア、オーストラリア、ニュージーランド、韓国、香港、シンガポール、台湾、中国、インド、アメリカ、カナダ、ブラジル、メキシコ、アルゼンチン、イギリス、ドイツ、フランス、イタリア、スペイン、デンマーク、ノルウェー、スウェーデンのような世界の主要国の都市に設置された番組記録サーバに各都市の放送番組を蓄積するように構成し、ニューヨーク、ロンドン、パリ等の都市地域で視聴する放送番組を受信し蓄積することができる。
【００６６】
図２のブロック図を参照して、ネットワーク番組録画予約システムの動作について説明をする。第１の番組記録サーバ２４は、設置地域で視聴する放送番組を内部のＣＡＴＶチューナやＴＶチューナや衛星放送チューナによりＮＴＳＣ信号として受信し、例えば、ＭＰＥＧ−２（Ｍｏｖｉｎｇ  Ｐｉｃｔｕｒｅ  Ｅｘｐｅｒｔ  Ｇｒｏｕｐ）規格のエンコード処理により圧縮したデジタルデータを磁気ディスク装置に１ヶ月又は１週間の所定期間蓄積する。
【００６７】
第２の番組記録サーバ２６も同様に、設置地域で視聴する放送番組をＮＴＳＣ信号又はＰＡＬ信号若しくはＳＥＣＡＭ信号として受信し、ＭＰＥＧ−２規格のエンコード処理により圧縮したデジタルデータを磁気ディスク装置に１ヶ月又は１週間の所定期間蓄積する。
【００６８】
第１の番組記録サーバ２４も第２の番組記録サーバ２６も共に、ユーザ端末からのリクエストコードの受信に応答し、インターネット１４に対してＩＳＰの通信回線５０を介してＭＰＥＧ−２規格の映像及び音声信号をストリーミング方式で送出する。このリクエストコードはサーバ１６を経由して各番組記憶サーバに送信される。
【００６９】
国内番組予約サーバ１８及び海外番組予約サーバ１９は、マニュアル入力又はオンライン入力により所定期間毎に適時更新する国内及び海外のＴＶ予約メニュー情報１２を各々蓄積し、サーバ１６を介してユーザ端末からのアクセスに応答しＴＶ予約メニュー又は電子番組ガイド（ＥＰＧ）をインターネット１４からアクセス中のユーザ端末１０へ送信する。
【００７０】
サーバ１６は、ネットワーク番組予約システム全体を制御し、インターネット１４に接続してユーザ端末からユーザ登録、放送録画予約、番組視聴等のリクエストを受付け、国内番組予約サーバ１８、海外番組予約サーバ１９、番組配信サーバ２０、広告配信サーバ２１、蓄積期限管理サーバ２２を機能させるサーバである。また、図示するようにサーバ１６内部に各サーバを設けてもよく、各サーバを別体のコンピュータで構成してもよい。
【００７１】
ユーザ端末１０は、例えば、インターネット閲覧ソフトウエアのブラウザと、プラグインソフトウエアのフラッシュ（Ｆｌａｓｈ）又はメディアプレイヤ（Ｍｅｄｉａ  Ｐｌａｙｅｒ）若しくはクイックタイムプレーヤ（Ｑｕｉｃｋ  Ｔｉｍｅ  Ｐｌａｙｅｒ）のユーザインターフェースをインストールしたパーソナルコンピュータで構成し、番組配信サーバ２０を介して配信される放送番組をＭａｃｒｏｍｅｄｉａ社のフラッシュや、ＤＬＳ互換のミュージックシンセサイザよる楽曲や、ＭＰＥＧ−２規格による映像及び音声のストリーミング方式の再生を実行する。
【００７２】
ユーザ端末１０ａは、ＣＡＴＶ同軸ケーブルによりインターネット１４に接続し、番組配信サーバ２０を介して配信される放送番組をＭａｃｒｏｍｅｄｉａ社のフラッシュや、ＤＬＳ互換のミュージックシンセサイザよる楽曲や、ＭＰＥＧ−２規格による映像及び音声のストリーミング方式の再生を実行する。放送番組の予約や再生リクエストは、テレビジョンを制御するリモコン装置を介して実行することができる。
【００７３】
ユーザ端末１０ｂは、パーソナルコンピュータと同等のブラウザやストリーミング再生ソフトウエアにより、番組予約と番組再生をリクエストし、インターネット１４を経由して放送番組をストリーミング方式で再生する。
【００７４】
ユーザ端末１０ｃは、ビデオやオーディオを携帯電話機で再生するソフトウエアをインストールし、インターネット１４を経由して、例えば、３ＧＰＰ標準に準拠した動画や音声をストリーミング方式で再生をする。
【００７５】
ユーザ端末１０ｄとユーザ端末１０ｅは共に、パーソナルコンピュータの機能を有しているため、オペレーティングシステム上で起動する上述したブラウザやストリーミング再生ソフトウエアにより映像や音声をストリーミング方式で再生をする。
【００７６】
また、上記ユーザ端末は各々放送番組の録画予約と映像や音声のストリーミング再生をサーバ１６へリクエストして実行するが、ストリーミング再生機能を備えていない携帯電話機３６から番組予約をリクエストしてから、別のユーザ端末からストリーミング再生を実行することもできる。
【００７７】
例えば、携帯電話機３６から無線通信基地局３４とゲートウエイ３２を経由してインターネット１４に接続し、サーバ１６へアクセスすることができる。この場合、ハイパーテキストマークアップランゲージＨＴＭＬで記述されたサイトを閲覧できる機能を備える携帯電話機３６により、サーバ１６に対してユーザ登録又は認証処理を実行し番組予約をリクエストすることができる。このように、ユーザは携帯電話機３６を用いて、サーバ１６にアクセスし希望の放送番組を外出先から録画予約してから、帰宅した後に家庭内に設置したユーザ端末で予約した放送番組をストリーミング方式で視聴することができる。
【００７８】
また、本実施の形態では、全世界で同時に放送されている放送番組が複数の第１の番組記録サーバ２４と第２の番組記録サーバ２６に分散して蓄積するため、同時間帯に放映されている放送番組を国内番組予約サーバ１８又は海外番組予約サーバ１９により録画予約することができる。
【００７９】
さらに、番組予約をせずに見逃した放送番組も、ユーザ端末からサーバ１６へアクセスし、番組配信サーバ２０に蓄積されている共通放送番組に該当するか検索し、見逃した放送番組が蓄積されている場合には、番組配信サーバ２０からインターネット１４を経由して映像や音声をストリーミング方式で配信し、アクセス中のユーザ端末の画面上で視聴することができる。
【００８０】
一方、番組配信サーバ２０に該当する共通放送番組が蓄積されていない場合は、サーバ１６は、第１の番組記録サーバ２４若しくは第２の番組記録サーバ２６に対して、ユーザ端末からリクエストされた放送番組をストリーミング方式でユーザ端末へ配信するリクエストコードを送信する。
【００８１】
本実施の形態では、すべての番組を一旦番組記録サーバに蓄積するため、例えば既に番組の放送が始っている場合においても、ユーザは放送番組の先頭シーンから視聴することができる。
【００８２】
サーバ１６は、内部に広告配信サーバ２１を備えているため、ユーザ端末のディスプレイ上に広告を表示させることができる。すなわち、ユーザが番組予約中に表示されているメニュー画面上に広告を表示し、録画番組のストリーミング映像を再生中にその映像の近傍へ広告を表示させることができる。この広告配信に対する対価をネットワーク番組予約システムの運営費用に充当することもできる。
【００８３】
また、広告配信サーバ２１は、ユーザのアクセス認証処理で取得したユーザＩＤに対応するユーザ属性情報であるユーザの性別、住所、登録時のＩＰアドレス、年齢、趣味、希望広告種の少なくとも１つ又は複数の情報に基づいて広告効果の高い広告を配信する。例えば、配信する広告の優先順位を希望広告種、性別、年齢、趣味、住所、登録時のＩＰアドレスに基く国又は地域の順に設定し、優先順位の高い広告の中から１つ又は複数の広告を配信する。広告形態は、フラッシュ形式の動画やＧＵＩ方式のバーナ広告を用いることができる。
【００８４】
さらに、広告配信サーバ２１は、ユーザ端末のディスプレイ上に表示されたバーナ広告をマウスやカーソルボタンのようなポインティングデバイスでクリック操作された段階で、インターネット１４を経由してバーナクリックを検出することができる。本実施の形態では、ユーザに対して放送番組視聴の中断を防止するために、ユーザのバーナクリックに応答した広告サイトへのハイパーリンクを実行しないので、有効にネットワーク番組予約システムのユーザ層を拡大させることができる。
【００８５】
すなわち、ユーザ端末のディスプレイ上でユーザが視聴中の放送番組画面から広告画面へ切替えた場合、ユーザ心理は広告主に対して悪印象を与える虞がある。広告サイトへのハイパーリンクに代替する手法は、サーバ１６へ認証したユーザの属性情報に含まれるユーザの電子メールアドレスを頼りに広告配信サーバ２１から広告主の広告情報を電子メールによりユーザのメールサーバへ送信し、放送番組の視聴を終えたユーザが広告情報の電子メールを受信するように構成すればよい。サーバ１６は、クリックされたバーナ広告情報とクリックしたユーザの属性情報を取得しているため、容易に広告効果の高い広告情報を適宜ユーザへ提供することができる。
【００８６】
蓄積期限管理サーバ２２は、第１の番組記録サーバ２４と第２の番組記録サーバ２６が蓄積する放送番組の蓄積期限を設定し、蓄積期限を超過した放送番組を第１の番組記録サーバ２４と第２の番組記録サーバ２６のハードディスク領域から削除するように制御する。
【００８７】
例えば、蓄積期間を１週間又は１ヶ月に設定し、ユーザが録画予約した放送番組を蓄積期限の満了するまで何回でも視聴できるように構成し、有限のハードディスクの記録領域を有効利用することができる。
【００８８】
また、蓄積期限管理サーバ２２は、蓄積期限を超過した番組配信サーバ２０に蓄積している共通放送番組も同様に削除し、ハードディスクの記憶領域を確保することができる。この共通放送番組は、複数のユーザから国内番組予約サーバ１８又は海外番組予約サーバ１９で受け付けた放送番組の記録ＩＤが同一と判定された場合に、第１の番組記録サーバ２４又は第２の番組記録サーバ２６が蓄積する放送番組をインターネット１４を経由して番組配信サーバ２０へ転送し蓄積された共通予約番組である。
【００８９】
広告代理店サーバ２８は、インターネット１４を介してサーバ１６と接続し、例えば、広告主のバーナ広告ファイルを添付した電子メールにターゲットユーザを特定する年齢層、地域、性別、趣味、商品カテゴリ等を記述してサーバ１６へ送信する。サーバ１６は、受信した電子メールを解析して取得した広告宣伝情報を広告配信サーバ２１へ蓄積する。
【００９０】
企業商品サーバ３０は、広告情報の電子メールを受信したユーザから広告情報に記述されたＵＲＬをクリック操作又はブラウザからのアクセスに応答してインターネット１４を介した電子商取引を遂行するサイトとして機能する。
【００９１】
図３は、本発明の実施の形態に用いるユーザ属性情報のデータ構造図である。
図示したサーバ１６のディスプレイ５２には、ユーザ属性情報が表示されている。
【００９２】
図中左側のデータ表示領域５４には、ユーザ属性情報であるネットワーク番組録画予約システムに登録したユーザのユーザＩＤ、パスワード、氏名、住所、電話番号、電子メールアドレス、性別、生年月日、趣味１、趣味２、趣味３、趣味４、複数の希望広告種（商品カテゴリ）が表示されている。ユーザＩＤとパスワードはユーザ端末からサーバ１６へアクセス認証に使用される。また、これらユーザ属性情報は、サーバ１６から提供されるコモンゲートウエイインターフェースＣＧＩに対してユーザ端末から入力した個人情報である。また、ユーザ属性情報の中に会員登録時のユーザ端末のＩＰアドレスを記憶することもできる。この登録時のＩＰアドレスによりユーザが海外に移転した際に、ユーザの出身地の言語や地域に密着した広告情報を自動的に選択しインターネット１４を介して個別配信することができる。
【００９３】
図中右側のデータ表示領域５６には、ユーザ属性情報である情報記録内容が表示されている。情報記録内容は、サーバ１６が自動的に付与する管理ＩＤ、放送番組の名称（タイトル）、放送番組の著作者、放送時間、放送局名、国名、記録種別、その他の項目が含まれている。
【００９４】
例えば、電子番組ガイド（ＥＰＧ）を用いて放送番組を予約する場合は、”Ｃｏｎｔｅｎｔ−ｔｙｐｅ：ａｐｐｌｉｃａｔｉｏｎ／ｘ−ｔｖ−ｐｒｏｇｒａｍ−ｉｎｆｏ；ｃｈａｒｓｅｔ＝ｓｈｉｆｔ＿ｊｉｓ、ｖｅｒｓｉｏｎ：１、ｓｔａｔｉｏｎ：ＷＯＷＯＷ、日本、ｙｅａｒ：２００２、ｍｏｎｔｈ：１０、ｄａｔｅ：２８、ｓｔａｒｔ：１４：００、ｅｎｄ：１６：００、ｐｒｏｇｒａｍ−ｔｉｔｌｅ：映画、ｐｒｏｇｒａｍ−ｓｕｂｔｉｔｌｅ：「ロミオ・マスト・ダイ」、「Ｓ」、映画、「ロミオ・マスト・ダイ」、（２０００年米）、アンジェイ・バートコウィアク監督、ジェット・リーアリーヤほか”を記述したテキストファイルに”ｐｒｇ”等の所定の拡張子を付けてユーザ端末からサーバ１６へ送信することにより放送番組の番組予約を受け付け、管理ＩＤに対応させて情報記録内容を生成することができる。
【００９５】
図４は、本発明の実施の形態に用いるユーザ情報記憶領域５８の模式的なデータ構造図である。ユーザ情報記憶領域５８にはセグメント化されたユーザ情報が表示されている。
【００９６】
前面に表示した第１の情報記憶内容６０には、ユーザが番組予約した情報としてサーバ１６が自動的に付与した管理ＩＤ、放送番組の名称、放送番組の著作者、放送時間、放送局名、放映国名、放送番組の内容（カテゴリ又は記録ＩＤ）、その他の項目が記録されている。
【００９７】
第１の情報記録内容６０の背後に順番に表示されている第２の情報記録内容６０ａ、情第３の報記録内容６０ｂ、第Ｎの情報記録内容６０ｃにもユーザが番組予約した情報が記録されている。これら情報記録内容は、ユーザがサーバ１６にアクセスして認証を完了させた段階で、ユーザが検索処理を実行することができる。例えば、放送番組の名称や放送時間（日付も含む）や記録ＩＤをキーワードにして視聴したい放送番組を特定することができる。また、他のユーザと同じ放送番組を録画予約した場合には、例えば、サーバ１６は、放送番組の記録ＩＤに基づき共通放送番組のビデオ情報を番組配信サーバに所定期間蓄積する。
【００９８】
図５は、本発明の実施の形態に用いるネットワーク番組録画予約システムのフロー図である。典型的には、ＣＧＩによる予約システムのフローは、国内番組予約サーバ１８と海外番組予約サーバ１９に端末画面のＣＧＩ表示データを蓄積し、ユーザのアクセスに応答して放送番組の番組予約案内をユーザ端末のディスプレイに表示するように構成する。
【００９９】
第１ステップの表示画面６２は、ＴＶ・ラジオ録画サービス１の案内表示である。ユーザはこの画面で放送番組の地域を選択する。但し、ユーザが地域選択を不問とする場合は、サーバ１６がアクセスしているユーザの属性情報に基づきユーザの所在地域を優先して放送局を案内するように処理される。
【０１００】
また、第１ステップの表示画面６２には、国内の地域として「関東」、「関西」、「九州」、「四国」、「山梨」、「有線ブロード」、「ＪＣＯＭ」等が表示され、海外の地域として「ニューヨーク」、「ロンドン」、「パリ」、「シドニー」等が表示されている。ユーザが「関東」を選択したときは、右に図示した第２ステップの表示画面６４がユーザ端末のディスプレイに表示される。
【０１０１】
第２ステップの表示画面６４は、放送局の選択画面である。図中には関東地域でサービスをする「日本テレビ」、「ＴＢＳテレビ」、「フジテレビ」、「衛星第１」、「山梨テレビ」、「有線ブロード」、「ＪＣＯＭ」、「日本放送」等のテレビ局やラジオ局が案内表示されている。ユーザが「ＴＢＳテレビ」を選択したときは、さらに右に図示した第３ステップの表示画面６６がユーザ端末のディスプレイに表示される。
【０１０２】
第３ステップの表示画面６６は、ＴＶ・ラジオ番組の選択画面である。図中には「ＴＢＳテレビ」の番組メニューが時間帯順に上段から下段に向けて表示されている。最上段には０：００の時間と番組のタイトルや出演者が表示され、１時間毎に区分けをしたタイムテーブルで番組のタイトルや出演者を表示する。最下段には番組開始時間が２３：００の番組を表示している。ユーザが番組メニューの中から視聴したい番組をポインティングデバイス若しくはリモコン装置でカーソルを上下左右に移動させ実行ボタンの選択操作により、第４ステップの放送番組の記録予約の完了処理６８が遂行される。
【０１０３】
第４ステップの記録予約の完了処理は、上記第１から第３ステップで表示されたＣＧＩ画面で選択された放送番組の記録予約情報をマージして、図１に示すインターネット１４に対して送出し、サーバ１６からの記録予約情報の受信確認コードをユーザ端末側で受信することにより予約処理を終了させることができる。
【０１０４】
図６は、本発明の実施の形態に用いるユーザ端末の模式的なブロック図である。ユーザ端末は、テレビジョン又はインターネット冷蔵庫とリモコン装置７０で構成し、リモコン装置７０から発信される赤外線信号又はＦＭ変調信号等により放送番組の番組予約を実行することができる。
【０１０５】
リモコン装置７０は、液晶ディスプレイ７１と、数字、アルファベット、カナの入力ボタン７２と、予約画面上のカーソルを移動させる移動ボタン７３と、実行ボタン７４を備え、テレビジョン又はインターネット冷蔵庫のディスプレイ７８を見ながら放送番組を予約する。
【０１０６】
また、リモコン装置７０は、入力ボタン７２の押下操作により放送日、放送時間を入力し、液晶ディスプレイ７１に表示された内容を確認してから実行ボタン７４の押下操作により、コード化された番組予約情報を赤外線７５を通じてテレビジョン又はインターネット冷蔵庫へ送信することができ、さらに、別の手法として、ディスプレイ７８を見ながらインターネット画面を呼び出し、予約画面情報を表示させながらカーソル７９の移動ボタン７３を操作することで所望の放送番組を録画予約することができる。
【０１０７】
テレビジョン又はインターネット冷蔵庫は、インターネット１４に対して通信回線４４を経由して接続され、サーバ１６は高速通信回線４８を介してインターネット１４に接続されている。上述したリモコン操作により番組予約された情報はインターネット１４を経由してユーザ端末からサーバ１６へ送信される。
【０１０８】
また、テレビジョン又はインターネット冷蔵庫は、サーバ１６へアクセスして番組予約した放送番組をインターネット画面の予約画面情報をディスプレイ７８へ表示し、リモコン装置７０の操作でカーソル７９を移動させ視聴したい番組を選択し、再生させることができる。
【０１０９】
さらに、ユーザは、リモコン装置７０を操作してディスプレイ７８に表示されたバーナ広告８０、バーナ広告８１、バーナ広告８２の中の１つにカーソル７９を移動し実行ボタン７４を押下して商品情報を得ることができる。ユーザ端末はインターネット１４に接続しているため、上述した商品情報をディスプレイ７８上に表示させることもでき電子メールにより取得することもできる。
【０１１０】
上記リモコン装置７０は、テレビジョン又はインターネット冷蔵庫の専用リモコン装置を用いてもよく、他の手段として携帯電話機や携帯情報端末ＰＤＡに専用リモコン装置の機能を持たせて赤外線の通信によりテレビジョン又はインターネット冷蔵庫を制御してもよい。
【０１１１】
テレビジョン又はインターネット冷蔵庫は、自宅等に設置しているので、外出中のユーザはリモコン装置７０による番組予約ができない。そこで、外出中のユーザは携帯している携帯電話機３６を用いて、無線通信基地局３４とゲートウエイ３２を経由してインターネット１４に接続し、サーバ１６へアクセスする。この場合も、携帯電話用の番組予約画面が携帯電話機３６の液晶ディスプレイに表示され視聴したい放送番組を番組予約することができる。この番組予約した放送番組はユーザが帰宅した段階で、リモコン装置７０を操作しテレビジョン又はインターネット冷蔵庫のディスプレイ７８上に録画予約した放送番組を再生させることができる。録画した放送番組の再生中は、ディスプレイ７８下部に図示した第１広告８０、第２広告８１、第３広告８２をバーナ広告として表示し、ネット通販の申込み手段として用いることができる。
【０１１２】
図７は、本発明の実施の形態である広告付き番組配信サーバのウエブ画面図である。図示したウエブ画面１００は、通信ネットワークを介して配信される録画番組と広告情報とを番組ユーザ端末としてのパーソナルコンピュータ等にインストールしているブラウザソフトにフラッシュプレーヤをプラグインして表示させている状態を例示している。
【０１１３】
ウエブ画面１００は、テレビパネル（ＴＶ  ＰＡＮＥＬ）表示領域１０２と、お気に入り（Ｍｙ  Ｆａｖｏｒｉｔｅ）表示領域１３０と、ストリーミング映像表示領域１２０と、選択された放送局表示領域１１４と、この放送局の番組表の時間１１６、番組名１１７、カテゴリ１１８、出演者１１９の表示領域と、他局の選択ボタン１１２と、広告情報表示領域８０を備えている。
【０１１４】
テレビパネル１０２は、放送番組の録画予定日入力ボックス１０３、録画時間入力ボックス１０４、チャンネル入力ボックス１０５、ユーザ専用のウエブ上のハードディスク空領域表示領域、ネット手帳のメインページをアクセスするボタン１１０、予約リクエストを指示する送信（ＳＥＮＤ）ボタン１０６、録画予約した放送番組を再生させる再生ボタン１０７、Ｇ−ＣＯＤＥ予約用の入力ボックス１０８、Ｇ−ＣＯＤＥのヘルプボタン１０９を設けている。
【０１１５】
お気に入り表示領域１３０は、ユーザが選択した好きな情報を表示する領域であり、好きな映像を表示する第１のビデオ領域１３５、ニュースや記者会見等の映像を表示する第２のビデオ領域１３４、サーバ１６から送信される放送番組の個別予約案内の表示領域１３６、この個別予約案内をスクロールさせるスクロールバー１３８、個別予約案内を表示させるボタン１３１、グルメ情報を個別予約案内に代えて表示させるボタン１３２、音楽情報を個別予約案内に代えて表示させるボタン１３３を設けている。
【０１１６】
ストリーミング映像表示領域１２０の近傍には、映像早送ボタン１２４、映像巻戻ボタン１２６、再生停止ボタン１２８、映像の再生セクションをＧＵＩで表示する再生位置表示領域１２２を設けている。
【０１１７】
図７のウエブ画面１００を参照して、広告付き番組配信サーバの作動フローを説明する。第１のステップでは、ユーザがユーザ端末のディスプレイに表示された予約画面の録画予定日入力ボックス１０３にポインタを移動させて、キーボードから西暦の年月日を入力する。また、録画予定日入力ボックス１０３の右側に設けられたダウンメニューボタンをマウスなどで選択操作し将来の日付をダウン表示させてマウスなどで選択することもできる。但し、初期設定画面には現在の年月日が表示されているので、当日の番組を予約する場合は年月日の入力操作を省略することができる。
【０１１８】
第２のステップでは、ユーザが録画時間入力ボックス１０４にポインタを移動させて、キーボードから数字（０から９）と記号（：）の番組録画時間を入力する。また、録画時間入力ボックス１０４の右側に設けられたダウンメニューボタンをマウスなどで選択操作し１時間単位に区切られた録画開始時間と録画終了時間をダウン表示させてマウスなどで選択することもできる。
【０１１９】
第３のステップでは、ユーザがチャンネル入力ボックス１０５の右側に設けたダウンメニューボタンにポインタを移動させて、放送局のダウンメニューを表示させてマウスなどで希望の放送局をマウスなどで選択する。また、ＧＵＩ方式で表示された放送局の選択ボタン１１２にポインタを移動させて放送局ボタンをクリック操作をして選択することもできる。
【０１２０】
第４のステップでは、選択した放送局名が放送局表示領域１１４に表示され、同時に放送局表示領域１１４の下部に選択した日付の放送局の番組表が表示される。この番組表の時間１１６、番組名１１７、カテゴリ１１８、出演者１１９を目視で確認し、録画予約をしたい放送番組にポインタを移動させてマウス等のクリック操作により１つの放送番組を選択することができる。この放送番組の選択操作により番組の放映時間が再計算され録画時間入力ボックス１０４に正確な録画時間が再表示される。
【０１２１】
第５のステップでは、ユーザが録画予約内容をディスプレイ上で確認してから送信ボタン１０６にポインターを移動させマウス等の選択操作により録画予約情報をインターネツトを経由してサーバ１６に送信することができる。
【０１２２】
また、第２の録画予約方法では、ユーザが録画番組の日付、録画時間、チャンネルを指定するのではなく、Ｇ−ＣＯＤＥ予約用の入力ボックス１０８にポインタを移動させて新聞の番組表やテレビガイド誌に記載されたＧ−ＣＯＤＥを直接キーボードで入力し予約番組を指定することもできる。この場合、Ｇ−ＣＯＤＥで指定された放送番組はディスプレイ上の番組表に緑又は赤等のカラーで他の放送番組と識別するように表示される。ユーザはディスプレイ上で予約情報を確認し送信ボタン１０６の選択操作によりサーバ１６へ予約情報を送信することができる。
【０１２３】
さらに、Ｇ−ＣＯＤＥのヘルプボタン１０９の選択操作により録画予定日入力ボックスで指定した日付のＧ−ＣＯＤＥ付き番組表をサーバ１６へ要求する。サーバ１６は、更新されたＧ−ＣＯＤＥ付き番組表をユーザ端末へ返信し新たなウィンドウ画面をユーザ端末のディスプレイ上に生成させる。この新たなウインドウ画面には録画予定日入力ボックスで指定した日付の番組表が表示されている。
【０１２４】
ユーザは、この新たなウインドウ画面に表示されている放送番組の表示領域にポインターを移動しクリック操作をすることにより、選択した放送番組のＧ−ＣＯＤＥがＧ−ＣＯＤＥ予約用の入力ボックス１０８に自動的に入力され、新聞やテレビガイド誌を見る手間を省くことができる。この場合も、Ｇ−ＣＯＤＥで指定された放送番組はディスプレイ上の番組表に緑又は赤等のカラーで他の放送番組と識別するように表示される。ユーザはディスプレイ上で予約情報を確認し送信ボタン１０６の選択操作によりサーバ１６へ予約情報を送信することができる。
【０１２５】
さらに、第３の録画予約方法では、ユーザが頻繁に録画再生する放送番組を自動的にレーティングして個別予約案内の表示領域１３６にポイントの高い順に表示された放送番組の中から選択することにより録画予約することもできる。個別予約案内の表示領域１３６には、最もレーティングの高い６０ポイントの放送番組が「ドラマ」名と出演者名と共に最上段にリスとされている。次の段に５０ポイントの放送番組が「サッカー」名と対戦チーム名と共にリスとされている。さらに次の段に４０ポイントの放送番組が「野球」名と対戦チーム名と共にリスとされている。
【０１２６】
例えば、サーバ１６は、ユーザが録画予約をして再生した放送番組に対して、再生視聴した放送番組のジャンル、登場人物、再生した時間を数値化して、自動的にレーティング処理を実行する。レーティングの高い番組を録画予約し易いようにユーザがサーバ１６にアクセスする毎に個別予約案内を表示するように構成することができるため、ネットワーク録画予約システムの利用頻度が増加するほどユーザの利便性を高めることができる。
【０１２７】
また、放送番組の視聴データのレーティング情報を活用し、個々のユーザに個別対応した新たな番組情報を提供することもでき、これら視聴データを活用してユーザが録画して再生した放送番組の時間、チャンネル、再生状況などの視聴履歴がサーバ１６内部のデータベースに保存することができ、市場調査データとして活用することもできる。
【０１２８】
こうして、第１の番組記録サーバ２４、第２の番組記録サーバ２６、及び番組配信サーバ２０に蓄積された放送番組をインターネット１４とサーバ１６を経由してユーザ端末にストリーミング方式により配信するため、ユーザ端末のハードディスク容量に制限されずに映像及び音声による放送番組を効率よく視聴させることができる。
【０１２９】
また、録画番組を再生する場合は、ユーザＩＤ及びパスワードによりサーバ１６へアクセスし、認証された後にサーバ１６から配信される録画番組メニューをユーザ端末のブラウザで表示する。録画番組メニューは、ユーザが録画予約した放送番組を、ジャンル別に自動的に分類し、見たい番組をスピーディに探せるＧＵＩ方式で表示する。
【０１３０】
例えば、ユーザ端末のディスプレイの中で水平方向に、映画、音楽、バラエティー、ドラマ、スポーツ、ニュース、おすすめ番組、その他のジャンル及び個別予約案内を通じてユーザが録画予約した放送番組の９個の項目を設け、各項目に区分けされた録画番組のタイトルを垂直方向に並べることにより、マトリクス状の録画番組メニューを表示するように構成することで、大量の録画番組の中から１つの放送番組を容易にポインティングデバイス又はリモコン装置により選択することができる。
【０１３１】
リモコン装置７０（図５参照）を用いる場合、ユーザは自分の見たい番組をテレビのチャンネルを切り換える感覚でリモコン装置７０の移動ボタン７３を操作し、カーソル７９を上下左右に移動させて実行ボタン７４を押下操作するだけで簡単にすばやく録画番組をストリーミング映像表示領域１２０に再生することができる。また、並行して配信される広告情報を広告情報表示領域８０に表示させることができる。この広告情報表示領域８０には、１又は複数のバーナ広告を表示することができ、バーナ広告のクリック操作によりネット通販の申込みをインターネットを経由して実行することができる。
【０１３２】
さらに、ユーザ端末のハードディスク容量に余裕があれば、ストリーミング方式で配信された録画番組をユーザ端末のハードディスクに記憶することもできる。この場合、３２０ＧＢのハードディスクを用いると、高品質記録ＨＱ（蓄積レート９Ｍｂｐｓ）で７０時間のビデオを記憶し、通常品質記録ＥＰ（蓄積レート３Ｍｂｐｓ）で２００時間のビデオを記録することができる。
【０１３３】
このように、何時でも、何処からでも、どんなユーザ端末からでも未来及び過去の所望の放送を所定のユーザ端末により再生することができる。番組予約サーバから送信されるブラウザ画面上には国内地方局の番組や世界の番組を一覧表示し、表示したメニュバーを所定手順によりクリック選択し番組予約することで所定番組を各地域に配置した番組記録サーバに記録することができる。
【０１３４】
また、記録した録画番組は、ユーザ自身が選択したあらゆるユーザ端末に何時でもストリーミング方式で再生でき、場合によっては端末側の記録容量によるが放送番組をそのままダウンロードしてハードディスクに保存することもできる。
番組一覧は時時刻刻変化する番組変更に対してもインターネットを通じて更新することでリアルタイムに対応することができる。各地域毎に放送している放送番組を各地域に配置した番組記録サーバで受信し所定期間記録保管することにより、サーバ１６を中継して各番組記録サーバに蓄積した放送番組をユーザ端末へ配信することができる。
【０１３５】
ユーザは、通常の手段では視聴できない地域の放送を記録予約でき、視聴忘れや予約忘れ等により視聴及び録画チャンスを逃した場合でも、サーバ１６又は番組記録サーバ２４、２６に蓄積した放送番組を過去に遡って視聴や録画ができるというメリットもある。したがって、過去の放送番組や未来の放送番組を時間経過にとらわれることなくユーザが視聴できるシステムを提供することができる。
【０１３６】
さらに、インターネット対応型の家電（ＴＶ、冷蔵庫等）においては、専用リモコン上の操作のみでネットワーク番組録画予約システムを利用することができる。よって、従来の高価なホームサーバを用意する必要がなく、しかも再生側機器のハードディスク記録容量にとらわれることなく、インターネット１４に接続できる環境と最小限のメモリーを備えるだけで放送番組を再生することができるという画期的な録画予約システムを提供することができる。
【０１３７】
またさらに、広告宣伝情報と放送番組予約システムを組合せることで、さらに効果的な手段を提供できる。すなわち、有償番組であれば広告宣伝料との相殺や減額が可能となるのでユーザの金銭的な負担を軽減させることができる。
【０１３８】
上述した実施形態では、ストリーミング方式による番組配信を実施するためユーザ端末の記憶容量を最小にでき、ユーザ端末をよりコンパクトに構成することができる。その結果、ユーザ端末の製造原価をより低減化できるためユーザにもたらすメリットは計り知れない。又、デジタルコンテンツの大容量化の方向からもストリーミング方式による番組配信手段は最適である。
【０１３９】
一方、ユーザがデジタルコンテンツを一つ一つユーザ端末に保存するとすれば、保存するパーソナルコンピュータや携帯情報端末ＰＤＡや記録媒体等の記憶領域を拡大させなければならない。したがって、ウィルスや機器の故障による修復や記録情報の漏洩等管理上の多くの問題が発生する。本発明は、これらの問題点を根本的に改善できる最適な手段を提供することができる。
【０１４０】
テレビ放送の予約録画と広告宣伝のマッチングを処理する場合、放送番組メニューの属性に番組の国籍や地域を付加するとよい。例えば、番組の国籍情報として日本、アメリカ、イギリス、ブラジルなどの国名を用い、地域情報として日本を対象とする場合は、山梨、四国、東京などの地方名を用い、地域情報としてアメリカを対象とする場合は、ニューヨーク、ワシントンなどの主要都市名を用いることができる。
【０１４１】
本実施の形態では、放送番組メニューをユーザが選択した段階で、録画番組の属する国又は地域を選別し、選別された国又は地域に合致した広告情報を本部サーバ２からユーザ端末１０へ配信し、バーナ広告として表示させるように制御することができる。
【０１４２】
また、ユーザの属性情報を認識して適切な言語及び地域の広告情報を個別対応させて配信させることができる。例えば、イタリア国のローマ地域で放映された放送番組を選択したユーザの中から、２０歳代の男性、車に興味を持つ、関東地域在住のユーザを自動認識したときは、フェラーリ社のスポーツカーの広告情報をバーナ広告配信をすると広告効果が向上する場合がある。
【０１４３】
バーナ広告の配信は、ユーザ属性情報として、ユーザ自身が申告して入力され本部サーバ２へ記憶された属性情報を優先して配信されるが、ユーザ端末１０が使用しているＩＰアドレスに基いてユーザの居所を推定し国及び使用言語を選択してバーナ広告を送信する場合もある。
【０１４４】
広告情報の国別または言語別の決定要素は、ユーザ端末１０側のＩＰアドレスと放送番組メニュー選択との２つの要素を用いることができる。また広告情報の国別判定は、上述したようにユーザ端末１０上に表示されている言語選択ボタンの選択操作により２の言語（英語と日本語）の中から１つの言語を指定し、ユーザ端末１０上に指定された言語の広告情報をバーナ広告で表示制御することができる。さらに、ユーザ端末１０のＩＰアドレスに基き推測された国の言語で表示する広告情報をユーザが選択した放送番組メニューの属性情報に従い録画番組が属する国の言語に変更して広告情報を配信することもできる。なお、言語選択ボタンで表示する２の言語（英語と日本語）の何れか一方に固定して本部サーバ２からユーザ端末１０へバーナ広告を配信することもできる。
【０１４５】
ユーザ端末１０に表示される広告情報は、放送番組メニューの属性情報を用いて国又は地域若しくは言語を特定して配信することができ、言語選択ボタンにより何れか一方の言語を選択させて言語を特定して広告情報を配信することができ、ユーザが希望する任意の広告情報を配信させるために、広告主の業種、ジャンルなどをユーザ端末１０にＧＵＩ形式で表示させてボタン選択処理により決定させることもできる。
【０１４６】
このボタン選択処理により、以後の広告付き番組配信サービスは、前回のボタン選択結果を優先して広告情報を配信するように構成することができる。このボタン選択結果優先処理により、ユーザと広告主とのインターフェースを向上させることができるため、よりマッチングした広告情報をインターネツトを介して個別に配信することができる。
【０１４７】
本実施の形態では、マルチレベルマーケティング手法を用いて、一旦ネット通販により商品を購入したユーザが第三者に同一商品を紹介販売することができる場合がある。紹介された者が同一商品を購入した場合は、紹介者であるユーザに対して商品販売価格の数パーセント若しくは数十パーセントのキャッシュキックバックやポイント加算を実施する。この紹介された者がさらに別の第三者に同一商品を紹介することで、紹介者のグルーピングを行い、常に親子関係を構築し順次親子孫の関係でキャッシュバックやポイント加算を増加させることができる場合もある。
【０１４８】
広告付き番組配信システムでは、登録者（広告主）が主体的に広告情報と録画番組とを結びつけて、ユーザが録画番組を視聴している際に登録者が本部サーバ２へ登録した広告情報を並行して配信するように構成しているが、録画番組の視聴時間帯により本部サーバ２が複数の広告情報の中から意図的に選択する広告情報をユーザ端末１０へ配信するように構成することができる。例えば、深夜の宅配料理店の広告や２４時間営業店舗の広告情報をユーザが居住している地域の深夜時間帯に配信するとよい。
【０１４９】
さらに、何時、誰が、どのような録画番組を視聴しているかユーザのアクセス情報や属性情報に基づいて自動解析し本部サーバ２へリアルタイムに記憶することができるため、従来の電話問合せによる視聴率調査に比して手間を省いてタイムリーな付加価値（ユーザの属性）の高い視聴率情報を取得することができる。
【０１５０】
したがって、何時、どの地域で、どのような性別の、どのような世代が、どんな番組を、どのような画面を、何時間視聴したか、何回繰り返して視聴したか、どの国の、どのような広告宣伝に興味があったか、どのような広告宣伝を何回覗いたか、どのような商品を単価いくらで購入したか、どのような地域で何が購入されているか、どの国ではどのような商品がいくらで販売されているかなどの詳細なマーケット情報を収集することができる。よって、本実施の形態により、市場調査や視聴率調査をも兼ねたサービスを提供することができる場合がある。
【０１５１】
本発明の広告付き番組配信サーバは、通信ネットワークを介して接続されるコンピュータ端末から登録者ＩＤ及びパスワードを受信する受信手段と、前記受信した登録者ＩＤ及びパスワードに基いて認証処理し、前記コンピュータ端末に対して１又は複数の地域サーバ番組表を表示するように制御する番組表示手段と、前記コンピュータ端末に表示させた地域サーバ番組表内の番組を指定するように促す番組指定手段と、前記コンピュータ端末において指定された前記番組に対して、地域名及び商品情報を有する広告情報を登録する広告登録手段と、前記指定された番組に関連付けて前記広告情報を記憶する記憶手段と、を備える点に特徴があるが、上述の図示例にのみ限定されるものではなく、本発明の要旨を逸脱しない範囲内において種々変更を加え得ることは勿論である。例えば、上述したストリーミング方式の映像及び音声の圧縮技術をＭＰＥＧ−２を例示して説明をしたが、ＭＰＥＧ−３又はＭＰＥＧ−４規格を用いて映像と音声を圧縮してストリーミング方式による番組録画システムを構成することもできる。また、ＩＰアドレスは３２ビットのＩＰｖ４プロトコルに限定するものではなく、１２８ビットのＩＰｖ６プロトコルを適用することもできる。さらに、登録者が操作するコンピュータ端末８へ送信する録画番組表とユーザ端末１０へ送信する録画番組表を共通のフォーマットに統一し本部サーバ２のデータ蓄積領域を節約することもでき、登録者のコンピュータ端末８からＧコードを本部サーバ２へ送信して広告情報と録画番組を関連付けて本部サーバ２へ記憶させることもできる。
【０１５２】
【発明の効果】
以上、説明したように本発明の広告付き番組配信サーバによれば、通信ネットワークを通じて録画番組を配信する際に、ユーザに対して個別対応可能な広告情報を選択的に自動配信するという優れた効果を奏し得る。
【図面の簡単な説明】
【図１】本発明の実施の形態である広告付き番組配信サーバのブロック図である。
【図２】本発明の実施の形態であるネットワーク録画予約システムのブロック図である。
【図３】本発明の実施の形態に用いるユーザ属性情報のデータ構造図である。
【図４】本発明の実施の形態に用いるユーザ情報記憶領域の模式的なデータ構造図である。
【図５】本発明の実施の形態であるネットワーク録画予約システムのフロー図である。
【図６】本発明の実施の形態に用いるユーザ端末の模式的なブロック図である。
【図７】本発明の実施の形態の広告付き番組配信サーバのウエブ画面図である。
【符号の説明】
１      番組提供サーバ群
２      本部サーバ
３、４、５、６  地域サーバ
１０      ユーザ端末
１４      インターネット
１６      サーバ
１７      ユーザ属性情報記憶領域
１８      国内番組予約サーバ
１９      海外番組予約サーバ
２０      番組配信サーバ
２１      広告配信サーバ
２２      蓄積期限管理サーバ
２４      第１の番組記録サーバ
２６      第２の番組記録サーバ
１２０      ストリーミング映像表示領域
【図１】
2004227108.tif 000003
【図２】
2004227108.tif 000004
【図３】
2004227108.tif 000005
【図４】
2004227108.tif 000006
【図５】
2004227108.tif 000007
【図６】
2004227108.tif 000008
【図７】
2004227108.tif 000009